(57)【要約】      （修正有）【課題】高齢者や一人暮らしの人が緊急時に助けを必要とする時に使うことのできる改良型多機能自動呼出警報裝置を提供する。【解決手段】警報ホスト１０と、送信機１１を備えた警報装置１であり、警報ホスト１０は、切替ユニット１０１と、自動電話発信ユニット１０２と、インターネット通信ユニット１０３と、サウンドコントロールユニット１０４と、表示ユニット１０５と、デジタル入力ユニット１０６と、からなり、切替ユニット１０１をオンにすると、警報ホスト１０はモード１になり、切替ユニット１０１をオフにすると、警報ホスト１０はモード２になる。送信機１１は、送信機１１からのメッセージを送信する無線周波数通信ユニット１１０と、無線周波数通信ユニット１１０に接続され、使用者の動作を感知する重力センサーユニット１１１と、無線周波数通信ユニット１１０に接続され、使用者周辺の気圧を感知する気圧センサーユニット１１２と、からなる。【選択図】図３
0003210037.tif 000002
【実用新案登録請求の範囲】
【請求項１】
警報ホストと、発信機と、からなる改良型多機能自動呼出警報裝置であって、
前記警報ホストは、切替ユニットと、自動電話発信ユニットと、インターネット通信ユニットと、サウンドコントロールユニットと、表示ユニットと、デジタル入力ユニットと、からなり、
前記切替ユニットをオンにすると、前記警報ホストはモード１になり、前記切替ユニットをオフにすると、前記警報ホストはモード２になり、
前記自動電話発信ユニットは、少なくとも１つの電話番号を記憶するとともに、前記モード１時に、少なくとも１つのあらかじめ設定された電話番号に自動的に発信し、前記モード２時には作動せず、
前記インターネット通信ユニットはホスト信号を送信し、
前記サウンドコントロールユニットは、警報メッセージを録音するとともに、警報音を発するスピーカーモジュールを備え、
前記表示ユニットはホストメッセージを表示し、
前記デジタル入力ユニットは、前記自動電話発信ユニットに接続され、少なくとも１つのあらかじめ設定された電話番号を入力し、
前記発信機は、無線周波数通信ユニットと、重力センサーユニットと、気圧センサーユニットと、からなり、
前記無線周波数通信ユニットは、前記発信機からのメッセージを前記警報ホストに送信し、
前記重力センサーユニットは、前記無線周波数通信ユニットに接続され、使用者の動作を感知し、
前記気圧センサーユニットは、前記無線周波数通信ユニットに接続され、使用者周辺の気圧を感知することを特徴とする、改良型多機能自動呼出警報裝置。
【請求項２】
前記改良型多機能自動呼出警報裝置は、ワイヤレス受信機を備え、
前記ワイヤレス受信機は、
無線周波数通信ユニットと、
スピーカーユニットとを備え、
前記無線周波数通信ユニットは、発信機メッセージを前記ワイヤレス受信機に発信することを特徴とする、請求項１に記載の改良型多機能自動呼出警報裝置。
【請求項３】
前記自動電話発信ユニットは、ＧＳＭ（登録商標）通信モジュールを備えることを特徴とする、請求項１に記載の改良型多機能自動呼出警報裝置。
【請求項４】
前記自動電話発信ユニットは、電話線通信モジュールを備えることを特徴とする、請求項１に記載の改良型多機能自動呼出警報裝置。
【請求項５】
前記表示ユニットは、ＬＥＤディスプレイであることを特徴とする、請求項１に記載の改良型多機能自動呼出警報裝置。
【請求項６】
前記表示ユニットは、ＬＣＤディスプレイであることを特徴とする、請求項１に記載の改良型多機能自動呼出警報裝置。
【請求項７】
前記改良型多機能自動呼出警報裝置は、さらにワイヤレス受信機を備えることを特徴とする、請求項１に記載の改良型多機能自動呼出警報裝置。
【請求項８】
前記ワイヤレス受信機は、無線周波数通信ユニットとスピーカーユニットを備えることを特徴とする、請求項７に記載の改良型多機能自動呼出警報裝置。
【考案の詳細な説明】
【技術分野】
【０００１】
本考案は、警報システムに関し、特に、高齢者や一人暮らしの人が緊急時に助けを必要とする時に使うことのできる改良型多機能自動呼出警報裝置に関する。
【背景技術】
【０００２】
従来の自動警報システムは、信号を受信して初めて通報される。しかし、現代社会において、高齢者や一人暮らしの人は、転倒または急な体調異常のため緊急時に非常ボタンを押す余裕がないまたは非常ボタンを押せる状況ではない場合が非常に多い。さらに、従来の自動警報システムにおいて通報に利用されるのは、電話またはＧＳＭ（登録商標）システムのみである。
【０００３】
よって、使用者が緊急ボタンを押すだけではなく、使用者が転倒または失神するなど緊急ボタンを押すことができない状況の場合に自動で通報される、改良型多機能自動呼出警報裝置の提供が必要とされている。さらに、電話線だけでなく、ＧＳＭ（登録商標）システムによって家族や介護者に通知することができ、室内に設置された近くにある警報装置によって家の中にいる人のうち誰かに通知されることによって、介護効率がさらに改善され、安全と確実性が向上する。
【考案の概要】
【考案が解決しようとする課題】
【０００４】
本考案は、警報ホストと送信機からなる、改良型多機能自動呼出警報裝置を提供することを目的とする。
【課題を解決するための手段】
【０００５】
上述の目的を達成するために、前記警報ホストは、切替ユニットと、自動電話発信ユニットと、インターネット通信ユニットと、サウンドコントロールユニットと、表示ユニットと、デジタル入力ユニットと、からなる。前記切替ユニットをオンにすると、前記警報ホストはモード１になり、前記切替ユニットをオフにすると、前記警報ホストはモード２になる。自動電話発信ユニットは、少なくとも１つの電話番号を記憶するとともに、前記モード１時に、少なくとも１つのあらかじめ設定された電話番号に自動的に発信し、モード２時には、発信しない。インターネット通信ユニットは、ホスト信号を送信する。サウンドコントロールユニットは、警報メッセージを録音するとともに、スピーカーモジュールを備え、警報音を発する。表示ユニットは、ホストメッセージを表示する。デジタル入力ユニットは、前記自動電話発信ユニットに接続され、少なくとも１つのあらかじめ設定された電話番号を入力することができる。前記発信機は、無線周波数通信ユニットと、重力センサーユニットと、気圧センサーユニットと、からなる。無線周波数通信ユニットは、発信機からのメッセージを警報ホストに送信する。重力センサーユニットは、前記無線周波数通信ユニットに接続され、使用者の動作を感知する。気圧センサーユニットは、前記無線周波数通信ユニットに接続され、前記使用者周辺の気圧を感知する。
【０００６】
前記改良型多機能自動呼出警報裝置は、さらにワイヤレス受信機を備えることが好ましい。前記ワイヤレス受信機は、無線周波数通信ユニットとスピーカーユニットを備える。前記無線周波数通信ユニットは、送信機メッセージを前記ワイヤレス受信機に発信する。
【０００７】
前記自動電話発信ユニットは、ＧＳＭ（登録商標）通信モジュールを備えることが好ましい。
【０００８】
前記自動電話発信ユニットは、電話線通信モジュールを備えることが好ましい。
【０００９】
前記表示ユニットは、ＬＥＤディスプレイであることが好ましい。
【００１０】
前記表示ユニットは、ＬＣＤディスプレイであることが好ましい。
【考案の効果】
【００１１】
本考案の提供する改良型多機能自動呼出警報裝置は、送信機を押すか、重力センサーまたは気圧センサーによって転倒状況を感知することによって、送信機を押すことができない状況でも、電話線とＧＳＭ（登録商標）によってあらかじめ録音された緊急メッセージを発信する、またはインターネットによって呼び出しメッセージを送信することによって、より広い範囲の関係する家族や友人に通知して、介護するなどの対応をすることができるようにするとともに、室内の近くにある警報装置によって家の中にいる人に通知されることによって、介護効率がさらに改善され、安全と確実性が向上する。
【図面の簡単な説明】
【００１２】
【図１】本考案の実施例に基づく改良型多機能自動呼出警報裝置における警報ホストの斜視図である。
【図２】本考案の実施例に基づく改良型多機能自動呼出警報裝置における警報ホストと送信機の斜視図である。
【図３】本考案の実施例に基づく改良型多機能自動呼出警報裝置のブロック図である。
【図４】図３の改良型多機能自動呼出警報裝置の斜視図である。
【考案を実施するための形態】
【００１３】
図１から図３を参照する。図１は、本考案の実施例に基づく改良型多機能自動呼出警報裝置における警報ホストの斜視図である。図２は、本考案の実施例に基づく改良型多機能自動呼出警報裝置における警報ホストと送信機の斜視図である。図３は、本考案の実施例に基づく改良型多機能自動呼出警報裝置のブロック図である。本考案の実施例に基づき提供する改良型多機能自動呼出警報裝置１は、警報ホスト１０と送信機１１からなる。図１と図３に示すように、前記警報ホスト１０は、切替ユニット１０１と、自動電話発信ユニット１０２と、インターネット通信ユニット１０３と、サウンドコントロールユニット１０４と、表示ユニット１０５と、デジタル入力ユニット１０６と、からなる。切替ユニット１０１をオンにすると、警報ホスト１０はモード１になり、警報ホスト１０は、電話線またはＧＳＭ（登録商標）によって非常呼出電話を発信することができるとともに、インターネット上のクラウドストレージサービスによって警告メッセージが送信される。ここにおける切替ユニット１０１は、ロータリースイッチであり、オンにするする時はつまみをＯＮまで回すが、これは例を挙げたに過ぎず、本考案を制限するものではないとする。上述した通り、つまみをＯＦＦまで回して切替ユニット１０１をオフにすると、警報ホスト１０はモード２になる。自動電話発信ユニット１０２によって、少なくとも１つの電話番号を記憶することができるとともに、前記モード１時に、少なくとも１つのあらかじめ設定された電話番号に自動で発信され、モード２時には、発信されない。あらかじめ設定された電話番号とは、通知する連絡先の人の電話番号または携帯電話の電話番号であり、自動電話発信ユニット１０２は、あらかじめ設定された連絡先の電話番号の順番にしたがって、繰り返し何度も発信する。本考案の実施例では３回発信されるが、これは例を挙げたに過ぎず、本考案を制限するものではないとする。インターネット通信ユニット１０３は、ホスト信号を送信し、イーサネット（登録商標）を通して警報状況がクラウドストレージサービスに送信されるため、使用者は携帯電話のアプリケーションを通してすぐに家の中に設置された警報ホスト１０の警報状態を受信することができる。サウンドコントロールユニット１０４は、警報メッセージを録音するとともに、スピーカーモジュールを備え、警報音を発する。前記警報メッセージは、発信された信号がつながるとすぐに、あらかじめ設定された前記警報メッセージが、連絡先の人に再生される。表示ユニット１０５は、ホストメッセージを表示し、前記ホストメッセージには、介護警報の他に、場合によっては、デバイスのバッテリー残量が少ないことを警告するメッセージを加えることもできる。デジタル入力ユニット１０６は、自動電話発信ユニット１０２に接続され、少なくとも１つのあらかじめ設定された電話番号を入力することができる。さらに送信機は、押しボタン２００と、無線周波数通信ユニット１１０と、重力センサーユニット１１１と、気圧センサーユニット１１２と、からなる。図２に示すように、押しボタン２００によって、装着者はボタンを押して助けを求めることができる。図３に示すように、無線周波数通信ユニット１１０は、送信機メッセージを警報ホスト１０に送信する。警報ホスト１０も無線周波数通信ユニット１１０を備え、メッセージを受信する。重力センサーユニット１１１は、無線周波数通信ユニット１１０に接続され、使用者の動作を感知する。気圧センサーユニット１１２は、無線周波数通信ユニット１１０に接続され、前記使用者周辺の気圧を感知する。重力センサーユニット１１１のＸ軸、Ｙ軸、Ｚ軸は、人体の姿勢の変化によって瞬間的に速度が速くなり、転倒した方向に基づいて、Ｘ軸、Ｙ軸、Ｚ軸では、それぞれ異なる加速の変化が生じる。瞬間的に生じた加速の総和値から転倒事故が発生したかどうかを検出できる。気圧センサーユニット１１２は、転倒時の気圧と、平常時に立ったり座ったりした場合の気圧の違いを検知することができる。転倒発生時、瞬間的に気圧が変化するため、この気圧の差を利用して、人体が立った状態から横たわった状態になった場合、それが短時間の間に起ったかどうかを検出し、転倒した状態であるかどうかを自動的に検出する。重力センサーユニット１１１及び気圧センサーユニット１１２を組み合わせることによって、上述のデータを合わせて転倒した状態であるかどうかを検討評価することができる。つまり、重力センサーユニット１１１と気圧センサーユニット１１２がどちらも装着者が異常事態にあると判断すると、送信機１１が、すぐに呼出メッセージを警報ホスト１０の自動電話発信ユニット１０２に自動的に発信し、あらかじめ設定された連絡先の人につながると、携帯型のワイヤレス受信機１２は、緊急事態を通知する。
【００１４】
図４を参照する。図４は、図３の改良型多機能自動呼出警報裝置の斜視図ある。図４に示すように、改良型多機能自動呼出警報裝置１は、ワイヤレス受信機１２をも備える。ワイヤレス受信機１２は、実施例では携帯式である。ワイヤレス受信機１２は、無線周波数通信ユニット１１０とスピーカーユニット１０７を備える。無線周波数通信ユニット１１０は、送信機メッセージをワイヤレス受信機１２に送信する。前記モード２は、主に、家の中に高齢者に付き添う人がいる時に緊急事態が発生した場合、付添人が装着した前記ワイヤレス受信機によって呼出警報を直接受信し近づいて助けたり介護したりすることができる。つまり、上述の警報ホスト１０が電話線またはＧＳＭ（登録商標）によって非常呼出電話を発信できる上、インターネット上のクラウドストレージサービスによって警告メッセージを送信することができる。同時に、ワイヤレス受信機１２によって警報音を発することができる。  
【００１５】
そのうち、自動電話発信ユニット１０２は、ＧＳＭ（登録商標）通信モジュールまたは電話線通信モジュールを備える。ＧＳＭ（登録商標）通信モジュールは、ＧＳＭ（登録商標）通信方式でメッセージを送信し、電話を発信する。
【００１６】
また、インターネット通信ユニット１０３は、警報状況をクラウドストレージサービスに送信することができ、使用者は携帯電話のアプリケーションを通してすぐに家の中に設置された警報ホスト１０の警報状態を受信することができる。
【００１７】
そのうち、表示ユニット１０５は、ＬＥＤディスプレイであるが、これは例を挙げたに過ぎず、本考案を制限するものではないとする。
【００１８】
そのうち、表示ユニット１０５は、ＬＣＤディスプレイであるが、これは例を挙げたに過ぎず、本考案を制限するものではないとする。
【００１９】
本考案が提供する改良型多機能自動呼出警報裝置は、緊急ボタンの信号を受信できるだけでなく、転倒または緊急事態のため緊急ボタンを押すことができないことを自動的に判別して、電話線だけでなくＧＳＭ（登録商標）によっても自動的に発信する上、クラウドストレージサービスによって緊急時にすぐに比較的広い範囲の人の携帯電話の特定のアプリケーションに警告メッセージを送信して要介護者の緊急事態を通知することができる。さらに、室内に設置された近くにある警報装置によって家の中にいる人に通知されるため、介護効率がさらに改善され、安全と確実性が向上する。
【符号の説明】
【００２０】
１      改良型多機能自動呼出警報裝置
１０    警報ホスト
１１    送信機
１２    ワイヤレス受信機
１０１  切替ユニット
１０２  自動電話発信ユニット
１０３  インターネット通信ユニット
１０４  サウンドコントロールユニット
１０５  表示ユニット
１０６  デジタル入力ユニット
１０７  スピーカーユニット
１１０  無線周波数通信ユニット
１１１  重力センサーユニット
１１２  気圧センサーユニット
２００  押しボタン
【図１】
0003210037.tif 000003
【図２】
0003210037.tif 000004
【図３】
0003210037.tif 000005
【図４】
0003210037.tif 000006